(57)【要約】【課題】仕切板により仕切られた上部カード装着部へのカードの誤挿入を確実に防止すること。【解決手段】カードが選択的に装着されるカード装着部を有するハウジング２と、カード装着部を上下に分割して上部カード装着部及び下部カード装着部を形成する仕切板と、ハウジング２に上方側から被せられるカバー部材３とを具備し、上記仕切板は、カード装着部の幅方向に並べて配置される第１、第２の仕切板５、６を有すると共に、当該第１、第２の仕切板５、６における互いの対向部分が上下方向に回動自在に設けられ、カード装着部に対するカード非装着時に第１、第２の仕切板５、６の対向部分をカバー部材３の下面に近接する位置に配置したことを特徴とする。【選択図】図５
2011013734.tif 000002
【特許請求の範囲】
【請求項１】
カードが選択的に装着されるカード装着部を有するハウジングと、前記カード装着部を上下に分割して上部カード装着部及び下部カード装着部を形成する仕切板と、前記ハウジングに上方側から被せられ、前記カード装着部の一部を規定するカバー部材とを具備し、
前記仕切板は、前記カード装着部の幅方向に並べて配置される第１、第２の仕切板を有すると共に、当該第１、第２の仕切板における互いの対向部分が上下方向に回動自在に設けられ、前記カード装着部に対するカード非装着時に前記第１、第２の対向部分を前記カバー部材の下面に近接する位置に配置したことを特徴とするカード用コネクタ。
【請求項２】
前記第１、第２の仕切板を上方側へ付勢する付勢部材を具備し、前記付勢部材の外側部分で前記カバー部材の下面に当接する当接片を前記第１、第２の仕切板に設けたことを特徴と請求項１記載のカード用コネクタ。
【請求項３】
前記第１、第２の仕切板に、前記上部カード装着部用のカードに当接して当該第１、第２の仕切板を押し下げる係合部を設けたことを特徴とする請求項１又は請求項２記載のカード用コネクタ。
【請求項４】
前記第１、第２の仕切板の前記対向部分を連結し、当該対向部分に侵入したカードの先端部と当接する連結部材を具備することを特徴とする請求項１から請求項３のいずれかに記載のカード用コネクタ。
【請求項５】
前記連結部材を、前記カード装着部に対するカード挿入口側の位置に配置したことを特徴とする請求項４記載のカード用コネクタ。
【請求項６】
前記連結部材は、前記第１、第２の仕切板を回動可能に連結すること特徴とする請求項４又は請求項５記載のカード用コネクタ。
【発明の詳細な説明】
【技術分野】
【０００１】
本発明は、カード用コネクタに関し、特に、複数種類のカードに対応可能なカード用コネクタに関する。
【背景技術】
【０００２】
従来、カード用コネクタ装置内に設けられたカード装着部を上下に仕切る可動式の板状部材（以下、「仕切板」という）を備え、当該仕切板によりカード装着部を分割したカード用コネクタが提案されている（例えば、特許文献１参照）。このカード用コネクタにおいては、挿入されるカードの種別に応じて仕切板によって上下に分割されたカード装着部（上部カード装着部、下部カード装着部）に選択的に振り分けて装着可能に構成されている。特に、このカード用コネクタにおいて、上部カード装着部は、仕切板の上面とカード装着部を覆うカバー部材とで規定されている。
【先行技術文献】
【特許文献】
【０００３】
【特許文献１】特開２００９−２６５５２号公報
【発明の概要】
【発明が解決しようとする課題】
【０００４】
しかしながら、上述したような従来のカード用コネクタにおいては、上部カード装着部に対して本来装着すべきカードと異なるカードが誤挿入される可能性がある。特に、カバー部材が金属製の薄板部材で構成される場合には、異なるカードの挿入に伴ってカバー部材が変形し、上部カード装着部が拡張されて挿入されるという事態が発生し得る。
【０００５】
本発明は、かかる実情に鑑みてなされたものであり、仕切板により仕切られた上部カード装着部へのカードの誤挿入を確実に防止することができるカード用コネクタを提供することを目的とする。
【課題を解決するための手段】
【０００６】
本発明のカード用コネクタは、カードが選択的に装着されるカード装着部を有するハウジングと、前記カード装着部を上下に分割して上部カード装着部及び下部カード装着部を形成する仕切板と、前記ハウジングに上方側から被せられ、前記カード装着部の一部を規定するカバー部材とを具備し、前記仕切板は、前記カード装着部の幅方向に並べて配置される第１、第２の仕切板を有すると共に、当該第１、第２の仕切板における互いの対向部分が上下方向に回動自在に設けられ、前記カード装着部に対するカード非装着時に前記第１、第２の仕切板の対向部分を前記カバー部材の下面に近接する位置に配置したことを特徴とする。
【０００７】
上記カード用コネクタによれば、カード装着部の幅方向に並べて配置され、互いの対向部分を上下方向に回動自在に設けた第１、第２の仕切板を備え、カード装着部に対するカード非装着時に第１、第２の仕切板の対向部分をカバー部材の下面に近接する位置に配置したことから、カード非装着時に仕切板とカバー部材との間に殆ど隙間が形成されなくすることができるので、仕切板により仕切られた上部カード装着部へのカードの誤挿入を確実に防止することが可能となる。
【０００８】
特に、上記カード用コネクタにおいては、前記第１、第２の仕切板を上方側へ付勢する付勢部材を具備し、前記付勢部材の外側部分で前記カバー部材の下面に当接する当接片を前記第１、第２の仕切板に設けることが好ましい。この場合には、例えば、第１、第２の仕切板を復帰させるための付勢部材と、カバー部材の下面と当接する当接片という簡単な構成で第１、第２の仕切板に回転力を与えることができるので、コネクタ内部に複雑な機構を用意することなく、第１、第２の仕切板の対向部分をカバー部材の下面に近接する位置に配置させることが可能となる。
【０００９】
また、上記カード用コネクタにおいては、前記第１、第２の仕切板に、前記上部カード装着部用のカードに当接して当該第１、第２の仕切板を押し下げる係合部を設けることが好ましい。この場合には、上部カード装着部用のカードの挿入に伴って第１、第２の仕切板を押し下げることができるので、上部カード装着部に対する適正なカードの挿入を許容しつつ、不適正なカードの挿入を防止することが可能となる。
【００１０】
さらに、上記カード用コネクタにおいては、前記第１、第２の仕切板の前記対向部分を連結し、当該対向部分に侵入したカードの先端部と当接する連結部材を具備することが好ましい。この場合には、第１、第２の対向部分に侵入したカードの先端部と当接する連結部材を備えたことから、第１、第２の仕切板を独立して回動可能に構成した場合においても、第１、第２の仕切板の対向部分の間に侵入したカードのコネクタ内部への挿入を確実に防止することが可能となる。
【００１１】
特に、上記カード用コネクタにおいては、前記連結部材を、前記カード装着部に対するカード挿入口側の位置に配置することが好ましい。この場合には、連結部材がカード挿入口側の位置に配置されるので、第１、第２の仕切板の対向部分の間に侵入するカード部分を小さくすることができ、当該カードの侵入に起因してコネクタ内の構成部品が破損する事態を防止することが可能となる。
【００１２】
また、上記カード用コネクタにおいては、前記連結部材は、前記第１、第２の仕切板を回動可能に連結することが好ましい。この場合には、第１、第２の仕切板が回動可能に連結されるので、第１、第２の仕切板の回動動作を許容しつつ、これらの対向部分の間に侵入するカードの挿入を確実に防止することが可能となる。
【発明の効果】
【００１３】
本発明によれば、カード装着部の幅方向に並べて配置され、互いの対向部分を上下方向に回動自在に設けた第１、第２の仕切板を備え、カード装着部に対するカード非装着時に第１、第２の仕切板の対向部分をカバー部材の下面に近接する位置に配置したことから、カード非装着時に仕切板とカバー部材との間に殆ど隙間が形成されなくなるので、仕切板により仕切られた上部カード装着部へのカードの誤挿入を確実に防止することが可能となる。
【図面の簡単な説明】
【００１４】
【図１】本発明の一実施の形態に係るカード用コネクタの外観を示す斜視図である。
【図２】上記実施の形態に係るカード用コネクタの内部の構成を説明するための斜視図である。
【図３】上記実施の形態に係るカード用コネクタの内部の構成を説明するための上面図である。
【図４】上記実施の形態に係るカード用コネクタの内部の構成を説明するための斜視図である。
【図５】上記実施の形態に係るカード用コネクタを前方側から示す図である。
【図６】上記実施の形態に係るカード用コネクタが有する仕切板及び連結部材を上方側から示した斜視図である。
【図７】上記実施の形態に係るカード用コネクタが有する仕切板及び連結部材を下方側から示した斜視図である。
【図８】上記実施の形態に係るカード用コネクタが有する仕切板及び連結部材を前方側から示した図である。
【図９】図６に示す状態の仕切板から連結部材を抜き出した場合の斜視図である。
【図１０】上記実施の形態に係るカード用コネクタに対してカードＡが装着された状態を示す斜視図である。
【図１１】上記実施の形態に係るカード用コネクタに対してカードＢが装着された状態を示す斜視図である。
【図１２】上記実施の形態に係るコネクタが有する連結部材により誤挿入が防止された状態の斜視図である。
【図１３】図１２に示す状態の仕切板及び連結部材を前方側から示した図である。
【図１４】上記実施の形態に係るカード用コネクタが有する連結部材により誤挿入が防止された状態の斜視図である。
【図１５】図１４に示す状態の仕切板及び連結部材を前方側から示した図である。
【発明を実施するための形態】
【００１５】
以下、本発明の一実施の形態について添付図面を参照して詳細に説明する。なお、本実施の形態に係るカード用コネクタ（以下、単に「コネクタ」という）においては、例えば、ＳＤ（secure digital）カード、ＭＭＣ（Multi Media Card）カード、メモリースティック  デュオ（登録商標）カード、並びに、メモリースティック  ＰＲＯ−ＨＧ  デュオカードの４種類のカードが装着可能に構成されている。なお、ＳＤＨＣカードは、ＳＤカードに含まれているものとする。
【００１６】
ここで、ＭＭＣカードは、その厚さが僅かに薄い点を除き、ＳＤカードと略同様の形状を有するため、コネクタにおいては、同一の態様で装着される。また、メモリースティック  デュオカードと、メモリースティック  ＰＲＯ−ＨＧ  デュオカードとは、コンタクトと接触する接触パッドの構成を除き、同一の形状を有するため、コネクタにおいては、同一の態様で装着される。以下においては、適宜、ＳＤカード及びＭＭＣカードを「カードＡ」と呼び、メモリースティック  デュオカード及びメモリースティックＰＲＯ−ＨＧ  デュオカードを「カードＢ」と呼ぶものとする。この場合、カードＡは、カードＢと比べて幅方向の寸法が大きいカードで構成されている。
【００１７】
図１は、本発明の一実施の形態に係るコネクタ１の外観を示す斜視図である。なお、以下においては、適宜、図１に示す紙面右下方側を「コネクタ１の前方側」又は単に「前方側」と呼び、同図に示す紙面左上方側を「コネクタ１の後方側」又は単に「後方側」と呼ぶものとする。また、図１に示す紙面右方側を「コネクタ１の右方側」又は単に「右方側」と呼び、同図に示す紙面左方側を「コネクタ１の左方側」又は単に「左方側」と呼ぶものとする。
【００１８】
図１に示すように、本実施の形態に係るコネクタ１は、合成樹脂材料などの絶縁材料を成形して形成されるハウジング２と、金属薄板材料に打ち抜き加工及び折り曲げ加工などを施して形成されるカバー部材３とを備えている。ハウジング２は、概して偏平な直方体形状を有しており、その上方側及び前方側に開口した空間を有している。カバー部材３は、ハウジング２の上方側の開口部に対応する形状を有しており、ハウジング２の上方側から被せられる。これらを組み合わせることにより、コネクタ１は、前方側にのみ開口した形状となり、この開口部でカード挿入口４が構成される。なお、カバー部材３は、合成樹脂材料などの絶縁材料を成型して形成しても良い。
【００１９】
カバー部材３の前方側の中央部には、カード挿入口４を介して装着されたカードを引き抜き易くするための切り欠き部３０１が形成されている。また、カバー部材３の上面の後方側寄りの位置には付勢片３０２が形成されている。この付勢片３０２は、僅かに下方側に折り曲げられ、後述する係止部材８０３を上方側から付勢する。さらに、カバー部材３の側面には、後述するハウジング２の係合片２０３と係合する複数の開口部３０３が形成されている。さらに、カバー部材３の上面の前方側には、後述するハウジング２の凹部２０４（図１に不図示）に係合する一対の係合片３０４が形成されている。これらの係合片３０４がハウジング２の凹部２０４に係合する一方、複数の開口部３０３にハウジング２の係合片２０３が係合することで、ハウジング２に対してカバー部材３が固定されることとなる。さらに、係合片３０４の近傍には、カード挿入に伴って上下動する後述する仕切板５、６の一部を露出可能な一対の開口部３０５が形成されている。
【００２０】
以下、本実施の形態に係るコネクタ１の内部の構成について説明する。図２は、本実施の形態に係るコネクタ１の内部の構成を説明するための斜視図である。図３は、本実施の形態に係るコネクタ１の内部の構成を説明するための上面図である。なお、図２及び図３においては、図１に示す状態のコネクタ１からカバー部材３を取り除いた場合について示している。
【００２１】
図２に示すように、ハウジング２の内部には一定の空間が形成されており、この空間の一部で複数種類のカードが選択的に装着可能な空間（以下、適宜「カード装着部」という）が構成されている。このカード装着部には、複数種類のカードに対応するコンタクト、カード装着部を上下に仕切る一対の仕切板５、６、これらの仕切板５、６を連結する連結部材７、並びに、カード装着部に装着された複数種類のカードの排出を行う排出機構８が配設されている。
【００２２】
ハウジング２内の空間において、仕切板５、６は、カード挿入口４よりも僅かに内部側（後方側）の位置に配置されている。仕切板５、６は、それぞれ概して平板形状を有しており、ハウジング２の内底面と対向して配置されている。仕切板５がカード装着部の左方側部分に配置される一方、仕切板６がカード装着部の右方側部分に配置されている。連結部材７は、仕切板５、６の前方側寄りの位置であって、両者の互いに対向する部分を連結している。排出機構８は、右方側に配置される仕切板６の右方側の位置に配置されている。なお、複数種類のカードに対応するコンタクトは、カード挿入口４からのカードの挿入経路上に適宜配設されている。
【００２３】
ハウジング２は、コネクタ１の底面部を構成するベース部２０１と、コネクタ１の側端部において、このベース部２０１から上方側に垂直に立設された側壁部２０２とを有している。ベース部２０１には、詳細について後述するように、複数種類のカードに対応するコンタクトが設けられている。側壁部２０２の外側面には、カバー部材３の開口部３０３と係合する複数の係合片２０３が設けられている。また、側壁部２０２の前端部近傍の上面には、カバー部材３の係合片３０４を収容すると共に、ガイド部材５の一部を収容する凹部２０４が形成されている。側壁部２０２の前面部の内側面は、カード挿入口４の一部を規定するものであり、主にカードＡの挿入をガイドする第１ガイド部２０５と、カードＢの挿入をガイドする第２ガイド部２０６とが形成されている。
【００２４】
第１ガイド部２０５は、側壁部２０２の上側部分に形成されており、挿入時におけるカードＡの側面及び下面をガイドするように構成されている。一方、第２ガイド部２０６は、第１ガイド部２０５よりも下方側に形成されており、挿入時におけるカードＢの側面及び下面をガイドするように構成されている（図５参照）。これらの第１ガイド部２０５、第２ガイド部２０６にガイドされた状態でカードＡ、Ｂを挿入することにより、カード装着部の適切な位置にカードＡ、Ｂを挿入することができるものとなっている。
【００２５】
左右の側壁部２０２には、前方側部分に仕切板６の一部を収容する収容部２０７ａ、２０７ｂが設けられている。右方側の側壁部２０２における後面部の内側面には、排出機構８の一部を構成する圧縮ばね８０２の一端を保持する保持片２０８が形成されている。保持片２０８は、コネクタ１の前方側に向かって一定長さだけ延出している。また、この後面部には、排出機構８の一部を構成する係止部材８０３の一端を係止する係止穴２０９が形成されている。この係止穴２０９は、係止部材８０３の一端が上方側から差し込まれるように構成され、係合部材８０３を回動可能に保持できるものとなっている。
【００２６】
ベース部２０１の後方側端部には、ハウジング２の後壁部を構成するコンタクトユニット２１０が配設されている。コンタクトユニット２１０は、例えば、ベース部２０１に接着固定される。コンタクトユニット２１０の前面には、コネクタ１の左右方向に整列して複数のカードＡ用のコンタクト（以下、適宜「カードＡ用コンタクト」という）２１１が設けられている。
【００２７】
カードＡ用コンタクト２１１は、基端部がコンタクトユニット２１０に固定される一方、先端部がコネクタ１の前方側であって僅かに上方側に延在し、一定範囲で上下方向に揺動可能となっている。カードＡ用コンタクト２１１の先端部は、下方側に折り曲げられており、その折曲部近傍でカードＡの接触パッドと接触するように構成されている。カードＡ用コンタクト２１１の先端部（最も右方側のものを除く）は、後述する仕切板５、６の凹部５０５、６０５に収容される位置に配置されている。なお、これらのカードＡ用コンタクト２１１の一端は、コンタクトユニット２１０の後方側からコネクタ１の外部に導出され、カードＡに対する信号を入出力可能に構成されている。
【００２８】
仕切板５、６は、コネクタ１に挿入されるカードの種類に応じて、カード装着部内で僅かに上下方向に揺動可能に構成されている。仕切板５、６は、概して平板形状を有しており、カード装着部の幅方向（左右方向）に並べて配置されている。仕切板５、６は、側壁部２０２の収容部２０７ａ、２０７ｂの後方側近傍からコンタクトユニット２１０の前面部近傍まで延在する長さを有している。また、仕切板５、６は、前方側端部に側壁部２０２の収容部２０７ａ、２０７ｂ側に延出するアーム部５０１、６０１を有している。
【００２９】
仕切板５のアーム部５０１には、後述するハウジング２の突出片２１４ａが挿通される孔５０２と、カード装着部に挿入されたカードＡの先端が当接する係合部としての傾斜部５０３と、アーム５０１の左方側端部から上方側に突出する当接片としての突起部５０４とが設けられている。一方、仕切板６のアーム部６０１には、後述するハウジング２の突出片２１４ｂが挿通される孔６０２と、カード装着部に挿入されたカードＢの先端が当接する係合部としての傾斜部６０３と、アーム６０１の右方側端部から上方側に突出する当接片としての突起部６０４とが設けられている。
【００３０】
これらの仕切板５、６は、カード装着部を上下に分割して上部カード装着部及び下部カード装着部を形成する役割を果たす。本実施の形態に係るコネクタ１において、上部カード装着部には、カードＡが装着され、下部カード装着部には、カードＢが装着されるものとなっている。カード挿入口４からカードＡが挿入されると、その挿入に伴って仕切板５、６が僅かに下方側に移動し、上部カード装着部にカードＡを受け入れ可能となっている。一方、カード挿入口４からカードＢが挿入されると、その挿入に伴って仕切板５、６が僅かに上方側に移動し、下部カード装着部にカードＢを受け入れ可能となっている。
【００３１】
連結部材７は、これらの仕切板５、６を連結し、上部カード装着部、下部カード装着部にそれぞれ本来装着されるべきカード（カードＡ、カードＢ）が挿入された場合に両者の下方側、上方側への移動を補助する役割を果たす。また、連結部材７は、上部カード装着部、下部カード装着部にそれぞれ本来装着されるべきカードと異なるカードが挿入され、仕切板５、６の対向部分の間に高低差が発生した場合に当該異なるカードの先端部と当接し、その挿入（すなわち、誤挿入）を防止する役割を果たす。なお、この連結部材７における誤挿入防止機能の詳細については後述する。
【００３２】
排出機構８は、スライド部材８０１と、圧縮ばね８０２と、係止部材８０３とから構成されている。スライド部材８０１は、概してコネクタ１の前後方向に延在する直方体形状を有しており、ハウジング２の右方側の側壁部２０２に沿って前後方向にスライド移動可能に構成されている。スライド部材８０１は、使用者によるカードに対する押圧操作に応じて、カードをコネクタ１における所定の装着位置から排出位置に移動させる役割を果たすものである。
【００３３】
スライド部材８０１の上面には、図３に示すように、概してループ状のガイド溝８０４が形成されている。このガイド溝８０４の中央には、概してハート形状を有するハート形カム８０５が設けられている。ガイド溝８０４は、このハート形カム８０５の両側に配置される第１ガイド溝８０６、第２ガイド溝８０７、係止部材８０３を係止する係止部８０８を有する凹み溝８０９、並びに、第１ガイド溝８０６及び第２ガイド溝８０７に連結される直線状ガイド溝８１０で構成される。係止部材８０３は、このようなガイド溝８０４をカードの挿入動作に応じて一定方向に進む。なお、ガイド溝８０４における係止部材８０３の案内経路上には、係止部材８０３の逆方向への進行を防止する段差部が形成されている。
【００３４】
圧縮ばね８０２は、上述のように、後方側の端部がハウジング２の保持片２０８に保持され、前方側の端部がスライド部材８０１の下面側の不図示の保持片に保持されており、スライド部材８０１を前方側に付勢する付勢力を付与している。係止部材８０３は、その前端部及び後端部で下方側に折り曲げられた形状を有している。上述のように、後方側の一端がハウジング２の係止穴２０９に差し込まれ、前方側の一端がスライド部材８０１の上面に形成された後述のガイド溝８０４と係合している。係止部材８０３は、圧縮ばね８０２による付勢力に抗してスライド部材８０１の前方側への移動を規制する役割を果たすものである。
【００３５】
上述したガイド溝８０４において、カードが装着されていない場合、係止部材８０３は、直線状ガイド溝８１０の後方側端部に配置された状態となっている。カードが挿入されると、スライド部材８０１の後方側への移動に伴って係止部材８０３が直線状ガイド溝８１０を介して第１ガイド溝８０６に進む。そして、係止部材８０３が第１ガイド溝８０６の前方側端部に到達する位置までカードが押し込まれると、係止部材８０３は、凹み溝８０９に進み、この状態で、カードの押し込みを止めて手を離すと、スライド部材８０１は圧縮ばね８０２の付勢力により若干前方側に移動する。そして、この移動により係止部材８０３が凹み溝８０９内を移動して、係止部８０８に係止された状態（ロック状態）となる。
【００３６】
そして、係止部材８０３が係止部８０８に係止された状態（ロック状態）から、更にカードが押し込まれると（所謂、オーバーストローク状態）、係止部材８０３は、凹み溝８０９から第２ガイド溝８０７に進む。そして、第２ガイド溝８０７から直線状ガイド溝８１０に進み、再び、係止部材８０３が直線状ガイド溝８１０の後方側端部に配置された状態となる。なお、このようにガイド溝８０４内を移動する係止部材８０３には、上方からカバー部材３の付勢片３０２が載置され、ガイド溝８０４に係合するよう下方側に僅かに付勢された状態となっている。
【００３７】
図４は、本実施の形態に係るコネクタ１の内部の構成を説明するための斜視図である。なお、図４においては、図２に示す状態のコネクタ１から仕切板６を取り除いた場合について示している。
【００３８】
図４に示すように、ハウジング２のベース部２０１の中央近傍には、コネクタ１の左右方向に整列して複数のカードＢ用のコンタクト（以下、適宜「カードＢ用コンタクト」という）２１２、２１３が設けられている。カードＢ用コンタクト２１２は、カードＡ用コンタクト２１１の下方側に設けられている。カードＢ用コンタクト２１２の基端部がベース部２０１に固定される一方、先端部がコネクタ１の前方側であって僅かに上方側に延在し、一定範囲で上下方向に揺動可能となっている。また、カードＢ用コンタクト２１２の先端部は、カードＡ用コンタクト２１１と同様に、下方側に折り曲げられており、その折曲部近傍でカードＢの接触パッドと接触するように構成されている。
【００３９】
カードＢ用コンタクト２１３は、カードＢ用コンタクト２１２の前方側の位置に設けられている。カードＢ用コンタクト２１３の基端部がベース部２０１に固定される一方、先端部がコネクタ１の後方側であって僅かに上方側に延在し、一定範囲で上下方向に揺動可能となっている。また、カードＢ用コンタクト２１３の先端部は、カードＡ用コンタクト２１１と同様に、下方側に折り曲げられており、その折曲部近傍でカードＢの接触パッドと接触するように構成されている。なお、これらのカードＢ用コンタクト２１２、２１３の一端は、ベース部２０１の後方側からコネクタ１の外部に導出され、カードＢに対する信号を入出力可能に構成されている。
【００４０】
例えば、カードＢ用コンタクト２１２は、メモリースティック  デュオカード及びメモリースティック  ＰＲＯ−ＨＧ  デュオカードに対応するコンタクトであり、カードＢ用コンタクト２１３は、メモリースティック  ＰＲＯ−ＨＧ  デュオカードに対応するコンタクトである。メモリースティック  ＰＲＯ−ＨＧ  デュオカードは、メモリースティック  デュオカードと異なり、コンタクトとの接触パッドが一部分割されているため、本実施の形態に係るコネクタ１においては、別途、カードＢ用コンタクト２１３を設けている。
【００４１】
左右の側壁部２０２に設けられた収容部２０７ａ、２０７ｂに対応するベース部２０１には、それぞれ上方側に突出する突出片２１４ａ、２１４ｂが立設されている。これらの突出片２１４ａ、２１４ｂは、それぞれ仕切板５、６のアーム部５０１、６０１に設けられた孔５０２、６０２に挿通され、仕切板５、６の位置決めを行うと共に、その揺動動作をガイドする役割を果たす。これらの突出片２１４ａ、２１４ｂには、それぞれ付勢部材としてのコイルばね２１５ａ、２１５ｂが取り付けられている。これらのコイルばね２１５ａ、２１５ｂは、それぞれベース部２０１と仕切板５、６との間に配置され、仕切板５、６を上方側に付勢するように構成されている。
【００４２】
図５は、本実施の形態に係るコネクタ１を前方側から示す図である。上述したような構成を有するコネクタ１を前方側から見ると、左右の側壁部２０２の前面に設けられた第１ガイド部２０５の奥側（後方側）に、仕切板５、６の傾斜面５０３、６０３が配置されており、第１ガイド部材２０５により案内されたカードＡの挿入に伴って、仕切板５、６が押し下げられるように構成されている。また、排出機構８を構成するスライド部材８０１は、カード装着部の厚さ方向の全体に亘る厚さ寸法を有しており、第１ガイド部材２０５により案内されたカードＡ又は第２ガイド部材２０６により案内されたカードＢの先端部と当接して後方側に移動可能に構成されている。
【００４３】
仕切板５は、その右方側端部がアーム部５０１の周辺部分（左方側部分）よりも僅かに上方側に位置するように傾斜した状態で配置されている。一方、仕切板６は、その左方側端部がアーム部６０１の周辺部分（右方側部分）よりも僅かに上方側に位置するように傾斜した状態で配置されている。この場合において、仕切板５の右方側端部、仕切板６の左方側端部の上端部（すなわち、仕切板５、６の互いに対向する部分の上端部）は、上部カード装着部にせり出し、カバー部材３の下面に近接する位置に配置されている。これにより、初期状態（カードが挿入されていない状態）において前方側から見た場合、上部カード装着部には、殆ど隙間が空かないように構成されている。
【００４４】
ここで、本実施の形態に係るコネクタ１が有する仕切板５、６及び連結部材７の構成について説明する。図６は、本実施の形態に係るコネクタ１が有する仕切板５、６及び連結部材７を上方側から示した斜視図であり、図７は、仕切板５、６及び連結部材７を下方側から示した斜視図である。図８は、本実施の形態に係るコネクタ１が有する仕切板５、６及び連結部材７を前方側から示した図である。なお、図８においては、仕切板５、６及び連結部材７がコネクタ１に装着された状態（図５に示す状態）を示している。
【００４５】
仕切板５、６は、例えば、絶縁性の樹脂材料を成形して形成される。図６及び図７に示すように、アーム部５０１、６０１を除き、概して平板形状を有している。連結部材７により連結された状態において、仕切板５の前方側端部は、仕切板６の前方側端部よりもカード挿入口４側（コネクタ１の前方側）に延出している。また、このように連結された状態において、図６に示すように、仕切板５、６の上面部であって中央部分よりも僅かに後方側には、複数の凹部５０５、６０５が左右方向に並設されている。これらの凹部５０５、６０５は、カードＡ用コンタクト２１１の先端部に対応する位置に配置されており、下部カード装着部に対するカードＢの装着に伴って接近する当該先端部を収容可能に構成されている。また、これらの凹部５０５、６０５の前方側の位置には、上方側に僅かに突出する複数の突出片５０６、６０６が設けられている。突出片５０６、６０６は、カードＡが誤った方向で挿入された場合（逆方向に挿入された場合）、或いは、異なるカードが挿入された場合にカードの挿入方向の先端部と当接することで、カードＡ用コンタクト２１１を保護するものである。
【００４６】
一方、仕切板５、６の下面の中央部分よりも僅かに後方側には、図７に示すように、複数の凹部５０７、６０７が左右方向に並設されている。また、これらの凹部５０７、６０７よりも前方側の位置には、複数の凹部５０８、６０８が左右方向に並設されている。これらの凹部５０７、６０７は、カードＢ用コンタクト２１２の先端部に対応する位置に配置されており、上部カード装着部に対するカードＡの装着に伴って接近する当該先端部を収容可能に構成されている。一方、凹部５０８、６０８は、カードＢ用コンタクト２１３の先端部に対応する位置に配置されており、上部カード装着部に対するカードＡの装着に伴って接近する当該先端部を収容可能に構成されている。
【００４７】
また、仕切板５、６のアーム部５０１、６０１の下面には、図７に示すように、コイルばね２１５ａ、２１５ｂを収容する凹部５０９、６０９が設けられている。ハウジング２の突出片２１４ａ、２１４ｂを挿通させる孔５０２、６０２は、これらの凹部５０９、６０９の上面に設けられている。上述した突起部５０４、６０４は、アーム部５０１、６０１の上面であって、これらの凹部５０９、６０９よりも外側部分に設けられている。そして、これらの突起部５０４、６０４は、カバー部材３がハウジング２に固定された場合にカバー部材３の下面に当接する高さに設計されている。このため、アーム５０１、６０１が下方側からコイルばね２１５ａ、２１５ｂの付勢力を受けると、仕切板５、６には、突起部５０４、６０４とカバー部材３との当接箇所を支点に回転する力が作用することとなる。これにより、カバー部材３がハウジング２に取り付けられた状態において、仕切板５、６は、図５及び図８に示すように、仕切板５、６の内側部分（すなわち、仕切板５の右方側端部、仕切板６の左方側端部）が持ち上げられた状態となる。
【００４８】
連結部材７は、このように仕切板５、６の内側部分が持ち上げられた状態において、図８に示すように、略水平状態で仕切板５、６を連結している。ここで、仕切板５、６と連結部材７との連結状態について説明する。図９は、図６に示す状態の仕切板５、６から連結部材７を抜き出した場合の斜視図である。
【００４９】
図９に示すように、連結部材７は、左右方向に延在する長尺体で構成されている。連結部材７の左方側端部には、前後方向に突出し、上面視にてＴ字形状を有する係合部７０１が設けられている。この係合部７０１の側面（左方側側面）には、前後方向に延在する溝部７０１ａが設けられている。また、連結部材７の右方側端部には、その上面の前端部に凹部７０２が設けられる一方、その下面の後端部に凹部７０３が設けられている（図９において凹部７０３は不図示）。
【００５０】
仕切板５、６には、このような構成を有する連結部材７を収容する開口部５１０、６１０がそれぞれ設けられている。開口部５１０は、連結部材７の係合部７０１を収容できるように、概してＴ字形状に設けられており、溝部７０１ａに対応する位置にリブ５１１が設けられている。一方、開口部６１０の右方側端部には、連結部材７の凹部７０２に収容される突出部６１１が設けられると共に、凹部７０３に収容される突出部６１２が設けられている。連結部材７は、このような開口部５１０、６１０に対して、溝部７０１ａでリブ５１１を収容すると共に、凹部７０２、７０３でそれぞれ突出部６１１、６１２を収容した状態で収容されるものとなっている。
【００５１】
次に、本実施の形態に係るコネクタ１に対して各カードが装着された状態について説明する。図１０は、本実施の形態に係るコネクタ１に対してカードＡが装着された状態を示す斜視図である。図１１は、本実施の形態に係るコネクタ１に対してカードＢが装着された状態を示す斜視図である。なお、図１０及び図１１に示すコネクタ１においては、説明の便宜上、カバー部材３を省略している。
【００５２】
コネクタ１に対してカードＡを装着する場合には、ハウジング２に設けられた第１ガイド部２０５にカードＡの側面及び下面を合わせた状態でコネクタ１の内部にカードＡを押し込む。このようにコネクタ１の内部に押し込む過程で、カードＡの先端部が仕切板５、６の傾斜部５０３、６０３に当接する。この状態から更に押し込むと、カードＡは、仕切板５、６の上側をコネクタ１の後方側に進む。この場合、仕切板５、６は、カードＡに傾斜部５０３、６０３を押されることで僅かに下方側に移動し、その下面でカードＢ用コンタクト２１２、２１３を僅かに押し下げる。このように、カードＡの挿入に伴って仕切板５、６の下面でカードＢ用コンタクト２１２、２１３を僅かに押し下げることで、コネクタ１内の限られた空間であるカード装着部を有効に活用するものとなっている。
【００５３】
このように挿入する過程において、カードＡの右方側の先端部が、仕切板５、６よりも上方側の位置においてスライド部材８０１の一部に当接する。これにより、カードＡのスライド部材８０１に対する位置が決まり、これ以降、スライド部材８０１とカードＡとが一緒に移動することとなる。なお、カードＡの先端部がスライド部材８０１に当接した時点においては、係止部材８０３の前方側の一端は、ガイド溝８０４の直線状ガイド溝８１０の後方側端部に配置されている。
【００５４】
この状態から更にカードＡを押し込むと、カードＡ用コンタクト２１１がカードＡの下面に入り込み、カードＡの先端部の下面に形成された接触パッドと接触する。図１０においては、この状態におけるコネクタ１を示している。なお、図１０においては、カードＡをコネクタ１の最後方側の位置まで押し込み、手を離した状態について示している。この状態においては、係止部材８０３の前方側の一端は、ガイド溝８０４の係止部８０８に係止された状態となっている。仕切板５、６は、カードＡにより押し下げられた状態となっており、これらを連結する連結部材７もカードＡにより押し下げられた状態となっている。
【００５５】
一方、コネクタ１に対してカードＢを装着する場合には、ハウジング２に設けられた第２ガイド部２０６にカードＢの側面及び下面を合わせた状態でコネクタ１の内部にカードＢを押し込む。このように押し込むと、カードＢは、仕切板５、６の下側とベース部２０１との間をコネクタ１の後方側に進む。この場合、仕切板５、６は、カードＢに押されて僅かに上方側に移動し、その上面でカードＡ用コンタクト２１１を僅かに押し上げる。このように、カードＢの挿入に伴って仕切板５、６の上面でカードＡ用コンタクト２１１を僅かに押し上げることで、コネクタ１内の限られた空間であるカード装着部を有効に活用するものとなっている。
【００５６】
このように挿入する過程において、カードＢの右方側の先端部が、仕切板５、６よりも下方側の位置においてスライド部材８０１の一部に当接する。これにより、カードＢのスライド部材８０１に対する位置が決まり、これ以降、スライド部材８０１とカードＢとが一緒に移動することとなる。なお、カードＢの先端部がスライド部材８０１に当接した時点においては、係止部材８０３の前方側の一端は、ガイド溝８０４の直線状ガイド溝８１０の後方側端部に配置されている。
【００５７】
この状態から更にカードＢを押し込むと、カードＢ用コンタクト２１２、２１３がカードＢの下面に入り込み、カードＢの下面に形成された接触パッドと接触する。図１１においては、この状態におけるコネクタ１を示している。なお、図１１においては、カードＢをコネクタ１の最後方側の位置まで押し込み、手を離した状態について示している。この状態においては、係止部材８０３の前方側の一端は、ガイド溝８０４の係止部８０８に係止された状態となっている。仕切板５、６は、カードＢにより押し上げられた状態となっており、これらを連結する連結部材７もカードＢにより押し上げられた状態となっている。
【００５８】
なお、本実施の形態に係るコネクタ１の上部カード装着部に対してカードＢを挿入しようとした場合においても、図５に示すように、上部カード装着部には仕切板５、６の対向部分がせり出しており、カバー部材３との間に殆ど隙間が形成されていない。このため、上部カード装着部にカードＢが挿入される事態を防止することができるものとなっている。特に、上部カード装着部においてカード部材３との間には殆ど隙間が形成されていないことから、カバー部材３を変形させて上部カード装着部が拡張される事態を防止できるので、上部カード装着部にカードＢが挿入される事態を確実に防止することができるものとなっている。
【００５９】
このように本実施の形態に係るコネクタ１においては、カード装着部の幅方向に並べて配置され、互いの対向部分を上下方向に回動自在に設けた仕切板５、６を備え、カード装着部に対するカード非装着時に仕切板５、６の対向部分をカバー部材３の下面に近接する位置に配置するようにしていることから、カード非装着時に仕切板５、６とカバー部材３との間に殆ど隙間が形成されなくすることができるので、仕切板５、６により仕切られた上部カード装着部へのカードの誤挿入を確実に防止することが可能となる。
【００６０】
特に、本実施の形態に係るコネクタ１においては、仕切板５、６を上方側へ付勢するコイルばね２１５ａ、２１５ｂを備え、これらのコイルばね２１５ａ、２１５ｂの外側部分でカバー部材３の下面に当接する突起部５０４、６０４を仕切板５、６のアーム部５０１、６０１に設けている。これにより、仕切板５、６を復帰させるためのコイルばね２１５ａ、２１５ｂと、カバー部材３の下面と当接する突起部５０４、６０４という簡単な構成で仕切板５、６に回転力を与えることができるので、コネクタ内部に複雑な機構を用意することなく、仕切板５、６の対向部分をカバー部材３の下面に近接する位置に配置させることが可能となる。
【００６１】
また、本実施の形態に係るコネクタ１においては、仕切板５、６のアーム部５０１、６０１に、上部カード装着部用のカードＡに当接して仕切板５、６を押し下げる傾斜部５０３、６０３を設けている。これにより、上部カード装着部用のカードＡの挿入に伴って仕切板５、６を押し下げることができるので、上部カード装着部に対する適正なカード（カードＡ）の挿入を許容しつつ、不適正なカードの挿入を防止することが可能となる。
【００６２】
なお、本実施の形態に係るコネクタ１においては、このように一対の仕切板５、６を備え、これらの対向部分を上部カード装着部にせり出すように構成することによって上部カード装着部に対して本来装着されるカードと異なるカードの挿入を防止している。しかしながら、このように一対の仕切板５、６を独立して回動可能に構成する場合には、カードの挿入形態に伴って仕切板５、６の対向部分の間に高低差が発生し、仕切板５、６の対向部分の隙間にカードが挿入されてしまう事態が発生し得る。本実施の形態に係るコネクタ１においては、このような事態を防止すべく、仕切板５、６の対向部分を連結部材７により連結している。
【００６３】
ここで、本実施の形態に係るコネクタ１が有する連結部材７による誤挿入防止機能について説明する。図１２は、本実施の形態に係るコネクタ１が有する連結部材７により誤挿入が防止された状態の斜視図である。図１３は、図１２に示す状態の仕切板５、６及び連結部材７を前方側から示した図である。なお、図１２においては、本実施の形態に係るコネクタ１のカード装着部に装着されるカードと異なるカードとして、カードＣが挿入された場合について示している。
【００６４】
図１２においては、カード装着部に対してカードＣが挿入されることで仕切板６のみが押し下げられ、仕切板５、６の対向部分の間に高低差が発生した場合について示している。例えば、このような事態は、カードＣの右方側の先端部によって仕切板６が有するアーム部６０１の傾斜部６０３が押し下げられた場合に発生し得る。このように仕切板５、６の対向部分の間に高低差が発生した場合、図１２に示すように、カードＣの先端部が仕切板５の下面と、仕切板６の上面との間に入り込む事態が発生し得る。しかしながら、本実施の形態に係るコネクタ１においては、仕切板５、６を連結部材７により連結し、その前面部をカードＣの先端部と当接させ、これ以上のカードＣの挿入を防止することができるものとなっている。
【００６５】
また、図１４は、本実施の形態に係るコネクタ１が有する連結部材７により誤挿入が防止された状態の斜視図である。図１５は、図１４に示す状態の仕切板５、６及び連結部材７を前方側から示した図である。なお、図１４においては、本実施の形態に係るコネクタ１のカード装着部に装着されるカードと異なるカードとして、カードＤが挿入された場合について示している。
【００６６】
図１４においては、カード装着部に対してカードＤが挿入されることで仕切板５のみが押し下げられ、仕切板５、６の対向部分の間に高低差が発生した場合について示している。例えば、このような事態は、カードＤの左方側の先端部によって仕切板５が有するアーム部５０１の傾斜部５０３が押し下げられた場合に発生し得る。このように仕切板５、６の対向部分の間に高低差が発生した場合、図１４に示すように、カードＤの先端部が仕切板５の上面と、仕切板６の下面との間に入り込む事態が発生し得る。しかしながら、本実施の形態に係るコネクタ１においては、仕切板５、６を連結部材７により連結し、その前面部をカードＤの先端部と当接させ、これ以上のカードＤの挿入を防止することができるものとなっている。
【００６７】
このように本実施の形態に係るコネクタ１においては、一対の仕切板５、６の対向部分を連結する連結部材７を備えていることから、これらの仕切板５、６を独立して回動可能に構成する場合においても、これらの対向部分の間に挿入されたカードの先端部に連結部材７の前面部を当接させることができるので、仕切板５、６の対向部分の間に侵入したカードのコネクタ内部への挿入を確実に防止することが可能となっている。
【００６８】
特に、本実施の形態に係るコネクタ１においては、連結部材７を、仕切板５、６におけるカード挿入口４側の位置に配置していることから、仕切板５、６の対向部分の間に侵入するカード部分を小さくすることができ、当該カードの侵入に起因してコネクタ１内の構成部品が破損する事態を防止することが可能となる。さらに、本実施の形態に係るコネクタ１においては、連結部材７を、仕切板５、６を回動可能に連結するようにしている。これにより、仕切板５、６が回動可能に連結されるので、仕切板５、６の回動動作を許容しつつ、これらの対向部分の間に侵入するカードの挿入を確実に防止することが可能となる。
【００６９】
なお、本発明は、上記実施の形態に限定されず、種々変更して実施することが可能である。上記実施の形態において、添付図面に図示されている大きさや形状などについては、これに限定されず、本考案の効果を発揮する範囲内で適宜変更することが可能である。その他、本考案の目的の範囲を逸脱しない限りにおいて適宜変更して実施することが可能である。
【符号の説明】
【００７０】
１  カード用コネクタ（コネクタ）
２  ハウジング
２０１  ベース部
２０２  側壁部
２０３  係合片
２０４  凹部
２０５  第１ガイド部
２０６  第２ガイド部
２０７ａ、２０７ｂ  収容部
２０８  保持片
２０９  係止穴
２１０  コンタクトユニット
２１１  カードＡ用コンタクト
２１２、２１３  カードＢ用コンタクト
２１４ａ、２１４ｂ  突出片
２１５ａ、２１５ｂ  コイルばね
３  カバー部材
３０１  切り欠き部
３０２  付勢片
３０３  開口部
３０４  係合片
４  カード挿入口
５、６  仕切板
５０１、６０１  アーム部
５０２、６０２  孔
５０３、６０３  傾斜部
５０４、６０４  突起部
５０５、６０５  凹部
５０６、６０６  突出片
５０７、６０７  凹部
５０８、６０８  凹部
５０９、６０９  凹部
５１０、６１０  開口部
５１１  リブ
６１１、６１２  突出部
７  連結部材
７０１  係合部
７０１ａ  溝部
７０２、７０３  凹部
８  排出機構
８０１  スライド部材
８０２  圧縮ばね
８０３  係止部材
８０４  ガイド溝
８０５  ハート形カム
８０６  第１ガイド溝
８０７  第２ガイド溝
８０８  係止部
８０９  凹み溝
８１０  直線状ガイド溝
【図１】
2011013734.tif 000003
【図２】
2011013734.tif 000004
【図３】
2011013734.tif 000005
【図４】
2011013734.tif 000006
【図５】
2011013734.tif 000007
【図６】
2011013734.tif 000008
【図７】
2011013734.tif 000009
【図８】
2011013734.tif 000010
【図９】
2011013734.tif 000011
【図１０】
2011013734.tif 000012
【図１１】
2011013734.tif 000013
【図１２】
2011013734.tif 000014
【図１３】
2011013734.tif 000015
【図１４】
2011013734.tif 000016
【図１５】
2011013734.tif 000017